(57)【特許請求の範囲】
【請求項１】
蛍光灯の両端部を着脱自在に保持するソケットが下面に設けられた器具本体と、
蛍光灯の長さ方向に沿った長尺状となって前記器具本体に取り付けられ、前記蛍光灯の光を反射する反射フードと、
前記器具本体の上面に取り付けられた複数の吊り下げ用フックと、
前記反射フードの長さ方向に間隔を有して形成された係止穴とを備えており、
前記吊り下げ用フックを介して吊り下げた状態で前記係止穴に係止具の一端を引っ掛け、係止具の他端を外部部材に引っ掛けることにより、その引っ掛け側が上方に傾くことを特徴とする照明器具。
【請求項２】
天井躯体から吊り下げられた吊り部材の下端に、線材を格子状に組み付けた吊り枠が掛け渡されることにより複数の吊り枠が略水平の整列状の宙吊り状態となっており、前記吊り枠を介して複数の照明器具が吊り下げられる照明システムであって、
前記照明器具は、蛍光灯の両端部を着脱自在に保持するソケットが下面に設けられた器具本体と、蛍光灯の長さ方向に沿った長尺状となって前記器具本体に取り付けられ、前記蛍光灯の光を反射する反射フードと、前記器具本体の上面に取り付けられた複数の吊り下げ用フックと、前記反射フードの長さ方向に間隔を有して形成された係止穴とを備えており、前記吊り下げ用フックが前記吊り枠に引っ掛けられて照明器具が吊り下げられ、当該吊り下げ状態で前記係止穴と前記吊り枠との間に係止具を引っ掛けることにより照明器具における係止具の引っ掛け側が上方に傾くことを特徴とする照明システム。
【請求項３】
電源と接続されるコンセントが前記吊り部材に移動可能に配置されており、前記照明器具の電源コード先端のプラグが前記コンセントに差し込み可能となっていることを特徴とする請求項2記載の照明システム。
【発明の詳細な説明】
【技術分野】
【０００１】
本発明は、照明器具及び照明システムに関し、特に店頭に好適に用いることができる照明器具及び照明システムに関する。
【背景技術】
【０００２】
展示場、デパートや量販店の店頭では、陳列されている商品を照明するため、蛍光灯等のランプを備えた照明器具が数多く配置される。これらの店頭では商品陳列のレイアウト変更や、陳列商品の変更が頻繁に行われており、これらの変更の都度、商品への照明方向を合わせるために照明器具も配置変更する必要がある。かかる照明器具の配置変更は、電源やコード等の他の部材の変更を伴うため、非常に面倒な作業となる。このため、照明器具の配置場所を変更することなく、照明方向だけを変更できることが望まれている。
【０００３】
特許文献１には、照明方向を変更するために、蛍光灯が取り付けられる器具本体の反射フードの向きを変更する構造が記載されている。この構造は、反射フードの長手方向の両端部に長穴を形成し、それぞれの長穴にねじを貫通させて器具本体に反射フードを取り付けるものである。そして、両端部のねじを緩めて反射フードをスライドさせて傾け、その後、ねじを締め付けることにより反射フードを傾いた状態で固定する。これにより、光の反射方向を変更できるため、照明方向の変更が可能となる。
【特許文献１】特開２００７−１０９６２０
【発明の開示】
【発明が解決しようとする課題】
【０００４】
しかしながら、特許文献１の構造では、反射フードに長穴を形成すると共に、器具本体にねじ穴を形成する必要があるため、構造が複雑となる。又、照明方向の変更は、長手方向両端部のねじを緩め、反射フードをスライドさせ、さらに長手方向両端部のねじを締め付けるという多くの操作が必要であり、操作が煩雑で面倒である不便さがある。特に、高所の照明器具の場合には、多大の労力を要している。
【０００５】
本発明はこのような従来の問題点を考慮してなされたものであり、照明方向の変更を行う構造を簡単とすることができると共に、照明方向の変更の操作が容易である照明器具を提供することを目的とする。又、本発明はこの照明器具を備えた照明システムを提供することを目的とする。
【課題を解決するための手段】
【０００６】
請求項１記載の発明の照明器具は、蛍光灯の両端部を着脱自在に保持するソケットが下面に設けられた器具本体と、蛍光灯の長さ方向に沿った長尺状となって前記器具本体に取り付けられ、前記蛍光灯の光を反射する反射フードと、前記器具本体の上面に取り付けられた複数の吊り下げ用フックと、前記反射フードの長さ方向に間隔を有して形成された係止穴とを備えており、前記吊り下げ用フックを介して吊り下げた状態で前記係止穴に係止具の一端を引っ掛け、係止具の他端を外部部材に引っ掛けることにより、その引っ掛け側が上方に傾くことを特徴とする。
【０００７】
請求項２記載の発明の照明システムは、天井躯体から吊り下げられた吊り部材の下端に、線材を格子状に組み付けた吊り枠が掛け渡されることにより複数の吊り枠が略水平の整列状の宙吊り状態となっており、前記吊り枠を介して複数の照明器具が吊り下げられる照明システムであって、前記照明器具は、蛍光灯の両端部を着脱自在に保持するソケットが下面に設けられた器具本体と、蛍光灯の長さ方向に沿った長尺状となって前記器具本体に取り付けられ、前記蛍光灯の光を反射する反射フードと、前記器具本体の上面に取り付けられた複数の吊り下げ用フックと、前記反射フードの長さ方向に間隔を有して形成された係止穴とを備えており、前記吊り下げ用フックが前記吊り枠に引っ掛けられて照明器具が吊り下げられ、当該吊り下げ状態で前記係止穴と前記吊り枠との間に係止具を引っ掛けることにより照明器具における係止具の引っ掛け側が上方に傾くことを特徴とする。
【０００８】
請求項３記載の発明は、請求項2記載の照明システムであって、電源と接続されるコンセントが前記吊り部材に移動可能に配置されており、前記照明器具の電源コード先端のプラグが前記コンセントに差し込み可能となっていることを特徴とする。
【発明の効果】
【０００９】
本発明の照明器具によれば、吊り下げ用フックによって吊り下げた状態で、反射フードの係止穴に係止具の一端を引っ掛け、係止具の他端を外部部材に引っ掛けるだけで反射フードを含む照明器具の全体が上方に傾くため、照明方向を変更することができる。このような構造では、照明方向の変更構造を簡単とすることができる。又、係止具の引っ掛け操作だけで照明方向を変更できるため、極めて簡単な操作となり、作業性が向上する。
【００１０】
本発明の照明システムによれば、吊り枠によって吊り下げられている照明器具に対し、反射フードの係止穴と吊り枠との間に係止具を引っ掛けることにより係止具の引っ掛け側が上方に傾くため、照明方向を変更することができる。この照明方向の変更は、係止具の引っ掛け操作だけでなされるため、極めて簡単に行うことができる。これにより、吊り枠に複数の照明器具が吊り下げられていても、全ての照明器具の照明方向の変更を簡単に且つ短時間で行うことができ、店頭のレイアウト変更や陳列商品の変更に迅速に対応することができる。
【発明を実施するための最良の形態】
【００１１】
図１は本発明の一実施形態の照明器具の吊り下げ状態を示す斜視図、図２は吊り下げ状態で照明方向を変更した状態を示す斜視図、図３は照明方向の変更を示す側面図、図４及び図５は照明器具の斜視図、図６は照明器具の吊り下げを行う構成を示す正面図、図７は吊り枠の平面図、図８は吊り枠に対する照明器具の配置を示す斜視図である。
【００１２】
図４及び図５に示すように、この実施形態の照明器具１は、器具本体２と、器具本体２に取り付けられた反射フード３と、器具本体２に装着される蛍光灯４とを備えている。
【００１３】
器具本体２は照明器具１の骨格を形成すると共に、蛍光灯４に対して電力を供給する。器具本体２は横長形状となっており、その長さ方向両端部の下部には蛍光灯４を装着するためのソケット５が取り付けられている。ソケット５は左右で一対をなし、一対のソケットの間に蛍光灯４が着脱自在に装着される。この実施形態において、照明器具１は２本の蛍光灯４を装着するようになっており、このためソケット５は二対が器具本体２に取り付けられる。
【００１４】
蛍光灯４に電力を供給するため、器具本体２の内部には、回路基板を有した変圧器６が取り付けられている。変圧器６とソケット５との間にはコード７が配線されており、変圧器６の電力がソケット５を介して蛍光灯４に供給される。この供給により蛍光灯４が点灯する。
【００１５】
変圧器６から電源コード１２が引き出されている。電源コード１２は器具本体２の上面から外部に引き出されており、その先端部にはプラグ１３が取り付けられている。このプラグ１３を介して変圧器６に電力が供給される。この実施形態においては、後述するように、プラグ１３が電気的に接続されるコンセント６５が吊り部材５１に移動可能に取り付けられているため（図６参照）、コンセント６５を照明器具１側に接近させることができる。このため電源コード１２を短くすることができる。これにより、電源コード１２が邪魔となることがなく、照明器具１の配置や電気的接続を簡単に行うことができる。
【００１６】
器具本体２の上面には吊り下げ用フック９が取り付けられる。吊り下げ用フック９は器具本体２の長さ方向に沿って所定間隔を有して取り付けられるものであり、照明器具１を吊り下げるために用いられる。この実施形態において、吊り下げ用フック９はＳ字フックが使用されており、器具本体２の上面に固定されたブラケット１０に一端が係止され、他端が自由端となっている。
【００１７】
反射フード３は器具本体２の長さ方向に沿った長尺状となって器具本体２に取り付けられる。反射フード３は蛍光灯４からの光を反射するものであり、左右２本の蛍光灯４に対応するように反射フード３は器具本体２の上部の左右に設けられている。それぞれの反射フード３は蛍光灯４の上方を覆っており、その下面によって蛍光灯４からの光を反射する。
【００１８】
それぞれの反射フード３には係止穴８が形成されている。係止穴８は各反射フード３における外側部分に形成されている。一の反射フード３に対し、係止穴８は少なくとも２箇所（本実施形態では３箇所）が間隔を有して形成されるものである。係止穴８には、ワイヤ、ロッド等の係止具の一端が引っ掛けられる。係止具の他端は外部部材（図示省略）に引っ掛けられ、この引っ掛けによって係止具の引っ掛け側の反射フード３に上方への引き上げ力が作用する。このため、係止具の引っ掛け側が上方に傾き、照明器具１は傾き状態で保持される。このように照明器具１が傾くことにより、反射フード３が一体的に傾くから照明方向を変更することができる。
【００１９】
次に、照明器具１が吊り下げられる吊り下げ構造を図６により説明する。図６に示すように、吊り部材５１は天井躯体５２から垂下する複数の吊りロッド５３を有している。吊りロッド５３は天井躯体５２の二次元方向（ＸＹ方向）に所定間隔で複数が配置される。それぞれの吊りロッド５３の下部は、ハンガー部５３ａとなっており、ハンガー部５３ａに架橋部材５４が掛け渡される。ハンガー部５３ａは吊りロッド５３に対して高さ調整可能となっており、これにより架橋部材５４の高さ調整が可能となっている。
【００２０】
架橋部材５４は横長の矩形枠状に形成されており、その長さに方向沿って所定間隔でハンガー部材５５が取り付けられている。ハンガー部材５５は架橋部材５４から垂下しており、その下端部には吊り枠５６が着脱自在に取り付けられる。吊り枠５６は、ハンガー部材５５の下端部の逆Ｔ字状フック（図示省略）に引っ掛けられることによりハンガー部材５５に取り付けられるものである。
【００２１】
吊り枠５６は図７に示すように、略正方形状に組み付けられた外側の枠体５６ａと、枠体５６ａの内部に格子状に組み付けられた複数の線材５７とによって構成されている。吊り枠５６は枠体５６ａをハンガー部材５５の下端部に引っ掛けることにより、略水平の整列状となってハンガー部材５５に複数が取り付けられる。このような吊り枠５６はハンガー部材５５に取り付けられることにより、天井の下方に宙吊り状となって配置される。なお、枠体５６ａ及び線材５７は、外面に静電粉体が焼き付け塗装されており、これにより照明器具１等を吊り下げてもショートを防止することが可能となっている。
【００２２】
以上のような吊り下げ構造では、照明器具１の吊り下げ用フック９を吊り枠５６の枠体５６ａ或いは線材５７に引っ掛けることにより、照明器具１を吊り下げることができる（図６参照）。照明器具１は複数が吊り枠５６に吊り下げられる。この場合においても、照明器具１は吊り下げ用フック９の引っ掛けだけで吊り下げられるため、複数の照明器具１を簡単に配置することができる。そして、吊り枠５６から吊り下げられた状態で下方に陳列した商品（図示省略）を照明する。
【００２３】
図８は吊り下げ構造に対して複数の照明器具１を吊り下げた状態を示す。吊り枠５は二次元方向（ＸＹ方向）に整列状態となって配置されており、吊り下げ用フックを線材５７に引っ掛けることにより二次元方向に整列した状態で複数の照明器具１を配置することができる。このような整列状態の配置に際しては、吊り下げ用フック９の引っ掛けだけで可能であるため、照明器具１の配置作業が容易となる。又、店頭のレイアウト変更や陳列商品の変更等に対しても、その変更に合わせた配置への変更が容易である。
【００２４】
図６において、６１は電源であり、ケーブル６２を介して外部電源に接続されている。ケーブル６２は天井躯体５２から垂下しているガイドロッド６３に引っ掛けられており、これにより複数のケーブル６２を設ける場合であっても絡むことなく配線することができる。６５は中継コンセントであり、脚部６５ａが架橋部材５４にスライド可能に取り付けられている。従って、脚部６５ａをスライドすることにより、中継コンセント６５は吊り部材５１に対して自由に移動することができる。照明器具１やパソコン、レジスタ等の電子機器６７はそのプラグを中継コンセント６５に差し込むことにより電力が供給される。このように中継コンセント６５が移動可能となっていることにより、照明器具１や電子機器６７は短い配線で電力が供給される。
【００２５】
次に、本実施形態における照明方向の変更を図１〜図３により説明する。図１は図６の吊り下げ構造に対して照明器具１を配置した状態であり、吊り下げ用フック９を吊り枠５６の線材５７（又は、枠体５６ａ）に引っ掛けることにより照明器具１は宙吊り状態となっている。この状態では、係止穴８に係止具が作用しておらず、照明器具１は傾いていない。このため、図３（ａ）で示すように、蛍光灯４からの光及び反射フード３による反射光は真下方向に出射するため、照明方向は真下となる。図３（ａ）において、Ｌ１は反射フード３によって反射した反射光を示し、真下に向かう光線となっている。
【００２６】
図２は宙吊り状態の照明器具１に対し、その一方側（右側の反射フード３）の係止穴８に係止具２１の一端を引っ掛け、他端を線材５７（又は枠体５６ａ）に引っ掛けた状態である。係止具２１としては、Ｓ字フック等の公知のフックのみならず、針金、ロープであっても良い。針金やロープの場合には、締結することにより引っ掛けが行われる。係止具２１の引っ掛けは、右側の反射フード３の全ての係止穴８に対して行っても良く、少なくとも２箇所の係止穴８に対して行えば十分である。
【００２７】
上述した係止具２１の引っ掛けにより、右側の反射フード３に上方への引き上げ力が作用する。これにより、照明器具１の全体は右側の反射フード３側が上方に傾いた傾き状態となる。図３（ｂ）は照明器具１が傾いた図２の状態における照明方向を示している。蛍光灯４からの光及び左右の反射フード３による反射光は、真下方向ではなく、右方向に出射する。このため、照明方向が右側となる。図３（ｂ）において、６２は反射フード３によって反射した反射光を示し、右方向に向かう光線となっており、図３（ａ）の真下への照明方向から右方向に変更している。
【００２８】
このような実施形態では、吊り下げ用フック９によって吊り下げられている照明器具１に対し、反射フード３の係止穴８と吊り枠５６との間に係止具２１を引っ掛けるだけで照明方向を変更することができる。このため照明方向の変更操作が極めて簡単となり、図８に示すように複数の照明器具１が配置された状態であっても全ての照明器具１の照明方向の変更を簡単、且つ短時間で行うことができる。これにより、店頭のレイアウト変更や陳列商品の変更などに迅速に対応することができる。又、照明器具１においては、係止具２１の引っ掛け用の係止穴８を形成するだけであるから、簡単な構造とすることができる。
【００２９】
以上の実施形態では、蛍光灯４及び反射フード３をそれぞれ２つ設けているが、その数は限定されるものではない。又、複数の蛍光灯４に対して一の反射フードを配置した構造であっても良い。
【図面の簡単な説明】
【００３０】
【図１】本発明の一実施形態の照明器具の吊り下げ状態を示す斜視図である。
【図２】吊り下げ状態で照明方向を変更した状態を示す斜視図である。
【図３】照明方向の変更を示す側面図である。
【図４】照明器具の斜視図である。
【図５】照明器具の内部を示す斜視図である。
【図６】照明器具の吊り下げを行う構成を示す正面図である。
【図７】吊り枠の平面図である。
【図８】吊り枠に対する照明器具の配置を示す斜視図である。
【符号の説明】
【００３１】
１  照明器具
２  器具本体
３  反射フード
４  蛍光光
５  ソケット
８  係止穴
９  吊り下げ用フック
２１  係止具
５１  吊り部材
５６  吊り枠
５７  線材
【図１】
0005042802.tif 000002
【図２】
0005042802.tif 000003
【図３】
0005042802.tif 000004
【図４】
0005042802.tif 000005
【図５】
0005042802.tif 000006
【図６】
0005042802.tif 000007
【図７】
0005042802.tif 000008
【図８】
0005042802.tif 000009